(57)【要約】【課題】迅速かつ容易にパターンの伝送損失を設計者に提示することができるＣＡＤシステムを提供する。【解決手段】本発明に係るＣＡＤシステムは、プリント基板内の各パターンを識別する識別名と各パターンのパターン長とを含むレイアウト情報を記憶するレイアウト情報記憶部と、プリント基板の断面の構造と基板材料の電気的特性とを含む基板構成情報を記憶する基板構成記憶部と、プリント基板内の指定されたパターンについて、許容伝送損失と規定周波数とをその識別名と関連付けて記憶する許容損失記憶部と、指定されたパターンの伝送損失を、レイアウト情報と基板構成情報とに基づいて算出する伝送損失算出部と、算出された伝送損失が、許容伝送損失の範囲内であるか否かを判定する判定部と、判定部で判定された結果を表示部に表示させる表示制御部と、を備えたことを特徴とする。【選択図】  図１
2007265323.tif 000002
【特許請求の範囲】
【請求項１】
プリント基板のパターン設計を行うＣＡＤシステムにおいて、
前記プリント基板内の各パターンを識別する識別名と前記各パターンのパターン長とを含むレイアウト情報を記憶するレイアウト情報記憶部と、
前記プリント基板の断面の構造と基板材料の電気的特性とを含む基板構成情報を記憶する基板構成記憶部と、
前記プリント基板内の指定されたパターンについて、許容伝送損失と規定周波数とをその識別名と関連付けて記憶する許容損失記憶部と、
前記指定されたパターンの伝送損失を、前記レイアウト情報と前記基板構成情報とに基づいて算出する伝送損失算出部と、
前記伝送損失算出部で算出された伝送損失が、算出されたパターンに対応する前記許容伝送損失の範囲内であるか否かを判定する判定部と、
前記判定部で判定された結果を表示部に表示させる表示制御部と、
を備えたことを特徴とするＣＡＤシステム。
【請求項２】
前記レイアウト情報は、前記プリント基板が多層構造の場合、表層のパターン長と、内層のパターン長とを区別した情報をさらに含む、ことを特徴とする請求項１に記載のＣＡＤシステム。
【請求項３】
前記基板構成情報は、前記プリント基板の絶縁基板の厚さ、前記絶縁基板の比誘電率、前記絶縁基板の誘電正接、パターン材の厚み、およびパターン材の幅を含む情報である、ことを特徴とする請求項１に記載のＣＡＤシステム。
【請求項４】
前記伝送損失算出部は、前記判定部で算出された伝送損失が前記許容伝送損失の範囲外の場合には、伝送損失が前記許容伝送損失の範囲内となるのに必要な当該パターンの現在のパターン長に対する短縮量、をさらに算出し、
前記表示制御部は、前記短縮量をさらに表示させる、
ことを特徴とする請求項１に記載のＣＡＤシステム。
【請求項５】
前記表示制御部は、前記表示器に前記プリント基板の各パターンのレイアウト表示を行い、前記判定部で算出された伝送損失が前記許容伝送損失の範囲外の場合には、その判定結果を前記レイアウト表示上に表示させる、ことを特徴とする請求項１又は４に記載のＣＡＤシステム。
【請求項６】
プリント基板のパターン設計を行うＣＡＤシステムの制御方法において、
前記プリント基板内の各パターンを識別する識別名と前記各パターンのパターン長とを含むレイアウト情報を記憶し、
前記プリント基板の断面の構造と基板材料の電気的特性とを含む基板構成情報を記憶し、
前記プリント基板内の指定されたパターンについて、許容伝送損失と規定周波数とをその識別名と関連付けて記憶し、
前記指定されたパターンの伝送損失を、前記レイアウト情報と前記基板構成情報とに基づいて算出し、
算出された伝送損失が、算出されたパターンに対応する前記許容伝送損失の範囲内であるか否かを判定し、
判定された結果を表示する、
ことを特徴とするＣＡＤシステムの制御方法。
【請求項７】
前記レイアウト情報は、前記プリント基板が多層構造の場合、表層のパターン長と、内層のパターン長とを区別した情報をさらに含む、ことを特徴とする請求項６に記載のＣＡＤシステムの制御方法。
【請求項８】
前記基板構成情報は、前記プリント基板の絶縁基板の厚さ、前記絶縁基板の比誘電率、前記絶縁基板の誘電正接、パターン材の厚み、およびパターン材の幅を含む情報である、ことを特徴とする請求項６に記載のＣＡＤシステムの制御方法。
【請求項９】
算出された伝送損失が前記許容伝送損失の範囲外の場合には、伝送損失が前記許容伝送損失の範囲内となるのに必要な当該パターンの現在のパターン長に対する短縮量、をさらに算出し、
前記短縮量をさらに表示する、
ことを特徴とする請求項６に記載のＣＡＤシステムの制御方法。
【請求項１０】
前記プリント基板の各パターンのレイアウト表示を行い、算出された伝送損失が前記許容伝送損失の範囲外の場合には、その判定結果を前記レイアウト表示上に表示する、ことを特徴とする請求項６又は９に記載のＣＡＤシステムの制御方法。
【請求項１１】
プリント基板のパターン設計を行うＣＡＤシステムプログラムにおいて、
前記プリント基板内の各パターンを識別する識別名と前記各パターンのパターン長とを含むレイアウト情報を記憶するレイアウト情報記憶ステップと、
前記プリント基板の断面の構造と基板材料の電気的特性とを含む基板構成情報を記憶する基板構成記憶ステップと、
前記プリント基板内の指定されたパターンについて、許容伝送損失と規定周波数とをその識別名と関連付けて記憶する許容損失記憶ステップと、
前記指定されたパターンの伝送損失を、前記レイアウト情報と前記基板構成情報とに基づいて算出する伝送損失算出ステップと、
前記伝送損失算出ステップ算出された伝送損失が、算出されたパターンに対応する前記許容伝送損失の範囲内であるか否かを判定する判定ステップと、
判定された結果を表示する表示ステップと、
をコンピュータに実行させることを特徴とするＣＡＤシステムプログラム。
【請求項１２】
前記レイアウト情報は、前記プリント基板が多層構造の場合、表層のパターン長と、内層のパターン長とを区別した情報をさらに含む、ことを特徴とする請求項１１に記載のＣＡＤシステムプログラム。
【請求項１３】
前記基板構成情報は、前記プリント基板の絶縁基板の厚さ、前記絶縁基板の比誘電率、前記絶縁基板の誘電正接、パターン材の厚み、およびパターン材の幅を含む情報である、ことを特徴とする請求項１１に記載のＣＡＤシステムプログラム。
【請求項１４】
前記伝送損失算出ステップは、前記判定部で算出された伝送損失が前記許容伝送損失の範囲外の場合には、伝送損失が前記許容伝送損失の範囲内となるのに必要な当該パターンの現在のパターン長に対する短縮量、をさらに算出し、
前記表示ステップは、前記短縮量をさらに表示する、
ことを特徴とする請求項１１に記載のＣＡＤシステムプログラム。
【請求項１５】
前記表示ステップは、前記プリント基板の各パターンのレイアウト表示を行い、前記判定ステップで算出された伝送損失が前記許容伝送損失の範囲外の場合には、その判定結果を前記レイアウト表示上に表示する、ことを特徴とする請求項１１又は１４に記載のＣＡＤシステムプログラム。
【発明の詳細な説明】
【技術分野】
【０００１】
本発明は、ＣＡＤシステム、ＣＡＤシステムの制御方法、およびＣＡＤシステムプログラムに係り、特に、プリント基板の配線設計を行うＣＡＤシステム、ＣＡＤシステム制御方法、およびＣＡＤシステムプログラムに関する。
【背景技術】
【０００２】
今日、各種の設計業務を計算機を用いて行うＣＡＤ（Computer-Aided  Design）システムが広く普及している。これらのＣＡＤシステムの中に、プリント基板の配線設計を行う基板配線設計ＣＡＤシステムがある。
【０００３】
基板配線ＣＡＤシステム（以下、単に「ＣＡＤシステム」という）は、プリント基板に実装される各種の電子部品、例えばＩＣ、チップ部品、コネクタ等に関する機械的データや、各電子部品間の電気的データ等を入力し、プリント基板のパターン配線設計を行うシステムである。
【０００４】
機械的データには、各種電子部品の寸法、形状、ピン配置等の情報が含まれている。また、電気的データには、電子部品のどの端子（ピン）とどの端子（ピン）をプリント基板上で接続するかといった情報が含まれている。これらの情報に基づいて、プリント基板に実装する電子部品の配置を決定し、各電子部品が有する接続端子（ピン）間の配線パターン経路を決定していく。ＣＡＤシステムでは、パターン経路の決定が自動的に行われる他、適宜修正可能に構成されている形態が一般的である。
【０００５】
他方、近時デジタル回路の高周波化が急激に進んでいる。ＧＨｚ（ギガヘルツ）帯のデジタルクロックをプリント基板の内外で伝送する形態もそれほどめずらしいことではなくなってきている。このため、従来、アナログ高周波回路や長距離電力伝送等で重要な設計要素であった伝送損失が、プリント基板の内部配線のような短い距離においても重要な設計要素となってきている。
【０００６】
このため、パターン経路の設計を行うＣＡＤシステムにパターンの伝送損失が容易かつ迅速に算出する機能が付加されれば、設計途中においてフィードバックがかけられるため設計効率の向上に大きく寄与することになる。
【０００７】
特許文献１は、伝送損失に関する情報を設計段階で比較的容易に取り込むことができるシステムに関する技術を開示している。
【０００８】
特許文献１が開示する技術は、特定の周波数における単位長あたりの伝送損失を予めテーブル等に記憶しておき、設計で得られたパターン長と単位長あたりの伝送損失とからそのパターンの伝送損失を算出し、パターン設計者へのフィードバックを容易にするものである。
【特許文献１】特開２００３−３３７８４１号公報
【発明の開示】
【発明が解決しようとする課題】
【０００９】
一般に、パターンの伝送損失は、プリント基板の構造（層数、絶縁基板の厚み、パターン材の厚みや幅等）や比誘電率等の電気定数等に依存する。また、使用する周波数にも大きく依存する。
【００１０】
一方、ＣＡＤシステムにおいては多種多様なプリント基板のパターン設計を行っている。また、取り扱うデジタル信号のクロック周波数も多岐にわたっている。
【００１１】
このため、パターン伝送損失の算出機能をＣＡＤシステムに取り込もうとする場合には、多様なプリント基板の構造や異なる周波数に対しても対応できるようにしておく必要がある。
【００１２】
また、近時のプリント基板では、膨大な数の信号線を取り扱っている。総ての信号線に対して伝送損失を求めようとすると算出時間も増加し、作業効率もかえって低下する。
【００１３】
本発明は、上記事情に鑑みてなされたもので、各種プリント基板のパターン設計を行うＣＡＤシステムにおいて、迅速かつ容易に所定のパターンの伝送損失を設計者に提示することができるＣＡＤシステム、ＣＡＤシステムの制御方法、およびＣＡＤシステムプログラムを提供することを目的とする。
【課題を解決するための手段】
【００１４】
上記課題を解決するため、本発明に係るＣＡＤシステムは、プリント基板のパターン設計を行うＣＡＤシステムにおいて、前記プリント基板内の各パターンを識別する識別名と前記各パターンのパターン長とを含むレイアウト情報を記憶するレイアウト情報記憶部と、前記プリント基板の断面の構造と基板材料の電気的特性とを含む基板構成情報を記憶する基板構成記憶部と、前記プリント基板内の指定されたパターンについて、許容伝送損失と規定周波数とをその識別名と関連付けて記憶する許容損失記憶部と、前記指定されたパターンの伝送損失を、前記レイアウト情報と前記基板構成情報とに基づいて算出する伝送損失算出部と、前記伝送損失算出部で算出された伝送損失が、算出されたパターンに対応する前記許容伝送損失の範囲内であるか否かを判定する判定部と、前記判定部で判定された結果を表示部に表示させる表示制御部と、を備えたことを特徴とする。
【００１５】
また、上記課題を解決するため、本発明に係るＣＡＤシステムの制御方法は、プリント基板のパターン設計を行うＣＡＤシステムの制御方法において、前記プリント基板内の各パターンを識別する識別名と前記各パターンのパターン長とを含むレイアウト情報を記憶し、前記プリント基板の断面の構造と基板材料の電気的特性とを含む基板構成情報を記憶し、前記プリント基板内の指定されたパターンについて、許容伝送損失と規定周波数とをその識別名と関連付けて記憶し、前記指定されたパターンの伝送損失を、前記レイアウト情報と前記基板構成情報とに基づいて算出し、算出された伝送損失が、算出されたパターンに対応する前記許容伝送損失の範囲内であるか否かを判定し、判定された結果を表示する、ことを特徴とする。
【００１６】
また、上記課題を解決するため、本発明に係るＣＡＤシステムプログラムは、プリント基板のパターン設計を行うＣＡＤシステムプログラムにおいて、前記プリント基板内の各パターンを識別する識別名と前記各パターンのパターン長とを含むレイアウト情報を記憶するレイアウト情報記憶ステップと、前記プリント基板の断面の構造と基板材料の電気的特性とを含む基板構成情報を記憶する基板構成記憶ステップと、前記プリント基板内の指定されたパターンについて、許容伝送損失と規定周波数とをその識別名と関連付けて記憶する許容損失記憶ステップと、前記指定されたパターンの伝送損失を、前記レイアウト情報と前記基板構成情報とに基づいて算出する伝送損失算出ステップと、前記伝送損失算出ステップ算出された伝送損失が、算出されたパターンに対応する前記許容伝送損失の範囲内であるか否かを判定する判定ステップと、判定された結果を表示する表示ステップと、をコンピュータに実行させることを特徴とする。
【発明の効果】
【００１７】
迅速かつ容易に所定のパターンの伝送損失を設計者に提示することができる。
【発明を実施するための最良の形態】
【００１８】
本発明に係るＣＡＤシステム、ＣＡＤシステムの制御方法、およびＣＡＤシステムプログラムの実施形態について、添付図面を参照して説明する。
【００１９】
（１）構成
図１は、本発明に係るＣＡＤシステム１の一実施形態のシステム構成例を示す図である。通常、プリント基板のパターン配線設計を行うＣＡＤシステム１では、プリント基板に実装される各種の電子部品、例えばＩＣ、チップ部品、コネクタ等の寸法、形状、ピン配置等の情報に関する機械的データや、各電子部品間の電気的接続関係を表す電気的データ等を入力し、プリント基板のパターン配線設計を行う機能を基本的機能として有している。図１は、本発明の特徴的な構成に比重をおいて図示したものであり、上記の通常のＣＡＤシステム１が有する基本的機能は一部省略して記載している。
【００２０】
本実施形態に係るＣＡＤシステム１は、例えばハードディスク装置等の記憶媒体から構成される記憶部１０、ＣＰＵ等の演算装置を備える制御部２０、ディスプレイ装置を備える表示部３０、およびキーボード等のユーザインタフェースやデータ入力インターフェース等を具備する入力部４０等を備えて構成されている。
【００２１】
記憶部１０は、レイアウト情報記憶部１１、基板構成記憶部１２、および許容損失記憶部１３を備えて構成されている。
【００２２】
レイアウト情報記憶部１１には、レイアウト情報Ｄ１、即ち、ＣＡＤシステム１を用いて設計されるプリント基板内の各パターンの長さ（パターン長）が表層と内層毎にパターンの識別名と関連付けられて記憶されている。
【００２３】
パターンの識別名は、例えばそのパターンによって伝送される信号の信号名で表されるものである。
【００２４】
図２は、レイアウト情報記憶部１１に記憶されるレイアウト情報Ｄ１の一例を示す表である。表の第１列には、“ＵＳＢ１”、“ＵＳＢ２”等の信号名（パターン識別名）が表記されている。表の第２、３列には、該当するパターンの始点（FROM）と終点（TO）とが、例えば電子部品の番号（ＩＣ１０、ＩＣ５等）と電子部品の端子番号（Ｐ１、Ｐ３等）とで表記されている。
【００２５】
表の第４列には、パターン長の一部を構成する表層のパターン長が表記されている。同様に表の第５列には、パターン長の一部を構成する内層のパターン長が表記されている。
【００２６】
後述するように、本実施形態に係るＣＡＤシステム１では、このパターン長を用いて伝送損失を算出する。算出された伝送損失が許容伝送損失の範囲内にある場合は、現時点でのパターン長が最終的なパターン長として確定されることになる。他方、算出された伝送損失が許容伝送損失の範囲外の場合には、ユーザによって再度パターンの変更設計がなされ、新たなパターン長として更新されることになる。更新したパターンの伝送損失が許容伝送損失の範囲内に収まると、最終的なパターン長として確定される。
【００２７】
記憶部１０の基板構成記憶部１２には、伝送損失を計算する際に必要となるプリント基板の断面の構造情報（絶縁層の厚さや、ソルダーレジストの厚さ、配線層の高さや幅、等の情報）や、絶縁基板の比誘電率εｒ、誘電正接tanδ、ソルダーレジストの比誘電率、誘電正接、といった電気定数等の基板構成情報が記憶される。
【００２８】
図３は、基板構成記憶部１２に記憶される基板構成情報の一例を説明する図である。図３（ａ）は、信号を単一のパターン１０１を用いて絶縁基板１０２の表層を伝送する形態のプリント基板１００ａの断面構造を例示する図である。プリント基板１００ａは、絶縁基板１０２の表面（表層）にパターン１０１が設けられ、このパターン１０１を覆うようにソルダーレジスト１０２ａが設けられている。また、絶縁基板１０２の裏面にはグランド／電源層１０２ｂが設けられている。この形態のプリント基板１００ａでは、絶縁基板１０２の厚みｄ、比誘電率εｒ、誘電正接tanδ、パターン１０１の厚みｔ、幅ｗ、ソルダーレジスト１０２ａの厚みｄｓ、比誘電率、誘電正接等の基板構成情報と、使用周波数によって単位長あたりの伝送損失を算出することができる。
【００２９】
図３（ｂ）は、信号をペアパターン１０１Ａ，１０１Ｂを用いて絶縁基板１０２の表層を伝送する形態のプリント基板１００ｂの断面構造を例示する図である。この形態のプリント基板１ｂでは、各ペアパターン１０１Ａ，１０１Ｂの幅Ｗ１に加えて、ペアパターン１０１Ａと１０１Ｂとの間隔Ｗ２も伝送損失を算出するために必要となる。
【００３０】
図３（ｃ）、（ｄ）は、いずれもパターンが絶縁基板１０３の内層に設けられている形態であり、図３（ｃ）は単一のパターン１０４で信号を伝送する形態のプリント基板１００ｃ、図３（ｄ）はペアパターン１０４Ａ、１０４Ｂで信号を伝送する形態のプリント基板１００ｄの断面構造を例示する図である。絶縁基板１０３の表面と裏面には、グランド／電源層１０３ａ、１０３ｂが設けられている。これらの内層型のパターンの伝送損失算出では、基板表面からの距離ｄ１と、基板裏面からの距離ｄ２がさらに必要となる。
【００３１】
基板構成記憶部１２には、これらのプリント基板の断面構造の寸法関係をしめすパラメータや絶縁基板の電気定数（比誘電率εｒ、誘電正接tanδ）が記憶される。
【００３２】
記憶部１０の許容損失記憶部１３には、プリント基板内の指定されたパターンについて、許容損失情報Ｄ２がそのパターンの識別名（或いは信号名）と関連付けられて記憶されている。許容損失情報Ｄ２は、そのパターンに許容される伝送損失（許容伝送損失）と、その損失を規定する周波数（規定周波数）を含む情報である。
【００３３】
図４は、許容損失記憶部１３に記憶される許容損失情報Ｄ２の一例を示す表である。第１列には、指定信号名（指定パターン識別名）が表記されている。図２に示したレイアウト情報には、プリント基板の総てのパターンのレイアウト情報（パターン長等）が含まれている。これに対して、許容損失記憶部１３に記憶される情報は、総てのパターンの中からユーザ（この場合、パターン設計者）が指定するパターンを抽出し、抽出したパターンに対して許容伝送損失と規定周波数とを規定するものである。
【００３４】
伝送損失が重要となってくる信号は、プリント基板内の総ての信号ではなく、一部の信号に限定されることが多い。そこで、許容損失記憶部１３では、伝送損失を算出すべきパターン（信号）をユーザが指定し、指定したパターンに対してのみ、許容伝送損失と規定周波数とを規定する形態としている。
【００３５】
このように、伝送損失を算出すべきパターン（信号）を限定することによって、伝送損失の算出に伴うプロセッサの負担を軽減し、ＣＡＤシステム１全体としての応答性を高めることが可能となり、結果的に高い操作性を提供することができる。また、伝送損失の算出結果（許容伝送損失に対する判定結果）を表示する際にも、不必要な情報の表示を排除することができるため、円滑な設計環境を提供することができる。
【００３６】
（２）動作
上記のように構成されたＣＡＤシステム１の動作について説明する。
【００３７】
図５は、本実施形態に係るＣＡＤシステム１の動作（ＣＡＤシステム１の制御方法）の一例を示すフローチャートである。また、図５は、本実施形態に係るＣＡＤシステムプログラムの実行手順の一例を示すフローチャートでもある。
【００３８】
ＣＡＤシステム１では、通常の設計手順（図示せず）に従って、プリント基板のパターン設計を行う。このパターン設計の過程において、プリント基板内の各パターンのレイアウト情報は、レイアウト情報記憶部１１に順次記憶されていく。
【００３９】
一方、ユーザが指定しているパターン（以下、指定パターンという）の許容損失情報等の情報は、許容損失記憶部１３に記憶されている。
【００４０】
図５のステップＳＴ１では、許容損失記憶部１３に記憶されている指定パターンを参照し、指定パターンの１つに対応するレイアウト情報（パターン長、配線層）をレイアウト情報記憶部１１から読み出す。
【００４１】
次に、ステップＳＴ２では、基板構成記憶部１２に記憶されている基板構成情報から、現在設計しているプリント基板に対応する断面構造や電気定数に関する情報を読み出す。
【００４２】
ステップＳＴ３では、指定パターンの伝送損失を算出する。この算出は、制御部２０の伝送損失算出部２１で行われる。伝送損失算出部２１では、ステップＳＴ２で読み出した基板構成情報と、指定パターン毎に規定されている規定周波数とから、例えば単位長当たりの伝送損失（ｄＢ／ｍｍ）を求め、この値にレイアウト情報記憶部１１に記憶されているパターン長（ｍｍ）を乗じることで、指定パターンに対応する現在設計中のパターンの伝送損失を算出する。
【００４３】
より具体的には、指定パターンが例えばプリント基板の表層を２つのペアパターンで信号を伝送する形態の場合には、図３（ｂ）に例示した基板構成情報のパラメータ（絶縁基板１０２の厚みｄ、比誘電率εｒ、誘電正接tanδ、ソルダーレジスト１０２ａの厚みｔｓ、比誘電率、誘電正接、ペアパターン１０１Ａ、１０２Ｂの厚みｔ、幅Ｗ１、ペアパターン１０１Ａ，１０１Ｂの間隔Ｗ２等）の基板構成情報と、指定パターンと共に許容損失記憶部１３に記憶されている規定周波数とから単位長当たりの伝送損失（ｄＢ／ｍｍ）を求める。
【００４４】
単位長当たりの伝送損失（ｄＢ／ｍｍ）の具体的な算出方法は、特に限定するものではないが、例えば公知の計算式（解析式）を用いて算出しても良い。或いは公知の計算式に基づいて適宜のルックアップテーブルを設け、このルックアップテーブルから求めても良い。
【００４５】
また、実験によって得られた伝送損失データを統計処理して回帰式を予め求めておき、この回帰式を上記の計算式（解析式）に換えて用いる形態でも良い。この場合、実際に用いられる基板の断面の構造や電気定数に基づいて回帰式のパラメータ決定されるため、一般的な解析式に比べるとより高精度の算出が期待できる。
【００４６】
このように算出された単位長当たりの伝送損失（ｄＢ／ｍｍ）にパターン長（ｍｍ）を乗じることで、指定パターンに対応する現在設計中のパターンの伝送損失を算出する。
【００４７】
ステップＳＴ４では、算出された伝送損失が許容伝送損失の範囲内であるか否かを判定する。この判定は、制御部２０の判定部２２で行われる。
【００４８】
伝送損失が許容伝送損失の範囲外であると判定されると、ステップＳＴ５へ進み、許容伝送損失の範囲内に収まるために必要となるパターンの短縮量、即ち、あとどれだけパター長を短くすれば伝送損失が許容値に収まるかが、伝送損失算出部２１でさらに算出される。単位長あたりの伝送損失は既にステップＳＴ３で算出されているため、短縮量は比較的簡単に求めることができる。
【００４９】
ステップＳＴ６では、ユーザに対して判定結果を通知するため、表示部３０に所定の判定表示をさせるための表示制御を行う。この表示制御は、制御部２０の表示制御部２３で行われる。
【００５０】
図６は、表示部３０の表示画面Ｗ１に表示される判定表示の一例を示す図である。表示画面Ｗ１には、通常のパターン設計で得られるプリント基板の電子部品のレイアウトや、電子部品の端子（ピン）間を接続する各パターンのレイアウトが表示される。図６の例では、ＩＣ３、ＩＣ２、ＩＣ１０等の電子部品の配置や、これらの端子（Ｐ１、Ｐ２、Ｐ３等）間を接続する各パターンのレイアウトが表示画面Ｗ１に表示されている。
【００５１】
本実施形態に係るＣＡＤシステム１では、これらの各パターンの中から指定される指定パターンに対して伝送損失の算出を行い、算出された伝送損失が許容伝送損失の範囲外となった場合に、該当するパターンに対応付けて判定結果を表示する形態としている。
【００５２】
図６の例示では、ＩＣ１０のＰ３とＩＣ３のＰ４を接続するパターンの現在の伝送損失が「１５ｄＢ」であると算出され、このパターンに割り付けられている許容伝送損失「１０ｄＢ」を超えてしまった場合の判定表示２００を示している。
【００５３】
判定表示２００は、ユーザに対して該当するパターンとの関係が容易に視認できるように、該当パターンから“吹き出し表示”で表示している。
【００５４】
さらに、判定表示２００では、許容範囲外であるという判定結果と共に、ステップＳＴ５で算出された短縮量も併せて表示させる形態としている。例えば、「表層の場合は、あと３０ｍｍ短く配線してください。内層の場合は、あと５０ｍｍ短く配線して下さい」等の表示を併記している。
【００５５】
この短縮量の表示によって、ユーザ（パターン設計者）は、現在のパターン配線の変更方針を容易に決定することが可能となり、設計変更に伴う作業時間が削減される。
【００５６】
ステップＳＴ７は、表示された短縮量に基づいて、実際にパターン配線の変更をユーザが行う処理である。
【００５７】
ステップＳＴ８は、パターン配線の変更に伴って変更されたパターン長等のレイアウト情報に基づいて、レイアウト情報記憶部１１の内容を更新する処理である。レイアウト情報記憶部１１の情報を更新した後はステップＳＴ１に戻り、指定パターンの伝送損失が許容伝送損失の範囲内か否かが再度判定される（ステップＳＴ４）。
【００５８】
指定パターンの伝送損失が許容伝送損失の範囲内の場合は、ステップＳＴ９へ進む。ステップＳＴ９では、判定すべき指定パターン（図４参照）の総ての伝送損失がチェックされたか否かを判断する。判定すべき指定パターンが残っている場合には、指定パターンを変更して（ステップＳＴ１０）、ステップＳＴ１に戻る。一方、総ての指定パターンの伝送損失がチェックされた場合には、処理を終了する。
【００５９】
以上に説明したように、本実施形態に係るＣＡＤシステム、ＣＡＤシステムの制御方法、およびＣＡＤシステムプログラムによれば、各種プリント基板のパターン設計を行うＣＡＤシステムにおいて、迅速かつ容易に所定のパターンの伝送損失を設計者に提示することができる。また、現在設計しているパターンのパターン長に対して、許容伝送損失の範囲に収めるために必要な短縮量も併せて提示することにより、変更設計に係る作業効率を向上させることができる。
【００６０】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。また、ソルダーレジストが積層されていない基板、あるいはソルダーレジストが伝送損失にほとんど影響しない場合には、ソルダーレジスト部分を考慮せずに伝送損失を算出するような構成にしても良い。
【図面の簡単な説明】
【００６１】
【図１】本発明に係るＣＡＤシステムの一実施形態のシステム構成例を示す図。
【図２】レイアウト情報記憶部に記憶されるレイアウト情報の一例を示す図。
【図３】基板構成記憶部に記憶されるプリント基板の断面構造パラメータ、および電気定数の一例を示す図。
【図４】許容損失記憶部に記憶される許容伝送損失、および規定周波数の一例を示す図。
【図５】本発明に係るＣＡＤシステムの一実施形態の動作例を示すフローチャート。
【図６】本発明に係るＣＡＤシステムの一実施形態における判定結果の表示例を示す図。
【符号の説明】
【００６２】
１  ＣＡＤシステム
１０  記憶部
１１  レイアウト情報記憶部
１２  基板構成記憶部
１３  許容損失記憶部
２０  制御部
２１  伝送損失算出部
２２  判定部
２３  表示制御部
３０  表示部
４０  入力部
【図１】
2007265323.tif 000003
【図２】
2007265323.tif 000004
【図３】
2007265323.tif 000005
【図４】
2007265323.tif 000006
【図５】
2007265323.tif 000007
【図６】
2007265323.tif 000008